(57)【特許請求の範囲】
【請求項１】
放電灯と、放電灯を調光点灯させる調光点灯部と、放電灯の点灯累積時間を計時する計時手段と、計時手段の計時結果に応じて点灯累積時間の経過とともに発生する光束減退を補正するように調光レベルを設定する補正手段と、外部より信号を入力するための接続端子とを備え、前記調光点灯部は、前記接続端子を介して入力される調光信号又は前記補正手段により設定された調光レベルの何れかに基づいて前記放電灯を連続調光する連続調光手段と、前記接続端子を介して入力される調光レベル切替用接点の接点信号に基づいて前記放電灯を段調光する段調光手段とを具備し、前記調光点灯部の動作モードを、前記連続調光手段が前記調光信号に基づいて前記放電灯を連続調光する連続調光モード、前記段調光手段が前記接点信号に基づいて前記放電灯を段調光する段調光モード、前記連続調光手段が前記補正手段により設定された調光レベルに基づいて放電灯の調光レベルを制御する初期照度補正モードの内の何れかに切り替える第１の切替スイッチを調光点灯部本体に設けるとともに、前記接続端子を介して所定のリセット信号が入力されると、前記計時手段の計時した点灯累積時間をリセットして計時動作を再開させるリセット手段を設けたことを特徴とする放電灯点灯装置。
【請求項２】
前記段調光手段の動作モードを複数に切り替えるための第２の切替スイッチを調光点灯部本体に設けたことを特徴とする請求項１記載の放電灯点灯装置。
【請求項３】
請求項１記載の放電灯点灯装置を用いる照明器具であって、前記接続端子に接続され、リセット操作に応じて前記リセット信号を発生するリセットスイッチを備え、放電灯、調光点灯部、計時手段、補正手段及びリセット手段を保持する器具本体の表面に前記リセットスイッチを設けたことを特徴とする照明器具。
【請求項４】
前記接続端子が前記調光点灯部の電源入力端子の近傍に設けられたことを特徴とする請求項３記載の照明器具。
【請求項５】
放電灯の周りに配置され、放電灯の光を反射して所望の方向に配光する反射板を器具本体に設け、前記リセットスイッチが反射板に取り付けられたことを特徴とする請求項３又は４記載の照明器具。
【請求項６】
前記リセットスイッチは定常時に開状態とし、リセット時に閉状態とすることを特徴とする請求項３乃至５の何れかに記載の照明器具。
【請求項７】
前記リセットスイッチの端子間電圧を、開状態において略３Ｖ以上、閉状態において略１Ｖ以下にすることを特徴とする請求項６記載の照明器具。
【請求項８】
前記調光点灯部は、前記第１の切替スイッチの切替状態に応じて動作モードを、前記連続調光モード、前記段調光モード、前記初期照度補正モード、又は前記調光点灯部の機能を検査するテストモードの内の何れかに切り替えるとともに、前記テストモードにおいて前記接続端子に所定の信号が入力されると、前記調光点灯部が機能確認のための動作を行うことを特徴とする請求項３記載の照明器具。
【発明の詳細な説明】
【０００１】
【発明の属する技術分野】
本発明は、放電灯点灯装置およびそれを用いる照明器具に関するものである。
【０００２】
【従来の技術】
近年、放電灯点灯装置を用いた照明器具が提供されており、特に省エネや演出などの用途に広く用いられていた。また放電灯点灯装置としては、放電灯の光出力が一定のものだけではなく、調光レベルが段階的に切り替えられる段調光機能を有するものや、調光レベルを連続的に変化させる連続調光機能を有するものや、時間経過に応じて発生する放電灯の光束減退を補正する光束補正機能を有するものなど、用途に応じた機能を有する放電灯点灯装置が提供されていた。
【０００３】
ところで、図１３は連続調光機能を有する放電灯点灯装置の回路図であり、この放電灯点灯装置はインバータ回路を用いたものを採用している。すなわち、交流電源ＡＣを全波整流するダイオードブリッジよりなる整流器ＤＢ１を備え、整流器ＤＢ１の直流出力端間にはインダクタＬ１を介してＭＯＳＦＥＴよりなるスイッチング素子Ｑ３が接続される。さらに、スイッチング素子Ｑ３の両端間にはダイオードＤ１と平滑コンデンサＣ１との直列回路が接続され、この平滑コンデンサＣ１を電源としてインバータ回路２が駆動されるようになっている。ここに、インダクタＬ１、スイッチング素子Ｑ３、ダイオードＤ１及び平滑コンデンサＣ１から所謂昇圧チョッパ回路１が構成される。
【０００４】
インバータ回路２は、平滑コンデンサＣ１の両端間に接続されたＭＯＳＦＥＴからなる一対のスイッチング素子Ｑ１，Ｑ２の直列回路を備え、ローサイドのスイッチング素子Ｑ２の両端間に、直流カット用のコンデンサＣ２と共振用のインダクタＬ２と放電灯Ｌａとの直列回路が接続された構成を有している。また、放電灯Ｌａの両フィラメント電極の非電源側端間には、インダクタＬ２とともに共振回路を構成するコンデンサＣ３が接続される。ここで、スイッチング素子Ｑ１〜Ｑ３はインバータ制御部１１によってオン／オフが制御されており、スイッチング素子Ｑ１，Ｑ２は高周波で交互にオン／オフされる。
【０００５】
インバータ回路２の動作は周知のものであって、昇圧チョッパ回路１により整流器ＤＢ１の出力電圧を昇圧し、スイッチング素子Ｑ１，Ｑ２を交互にオン／オフさせることによって、放電灯Ｌａに交番電流が供給される。ここで、放電灯Ｌａへの給電経路にはインダクタＬ２及びコンデンサＣ３が存在するので、スイッチング素子Ｑ１，Ｑ２のオン／オフの周期（すなわち、インバータ回路２の動作周波数）と、インダクタＬ２及びコンデンサＣ３などから構成される共振回路の共振周波数との関係によって放電灯Ｌａに供給するエネルギを調節することができる。
【０００６】
ここで、調光信号入力端子ＣＮ１ａ，ＣＮ１ｂ間には調光器３０が接続されており、調光器３０から０〜１０Ｖの直流電圧信号よりなる調光信号が入力される。この調光信号はＶ／Ｆ変換部１２でＶ／Ｆ変換され、インバータ制御部１１が調光信号の電圧値に応じた動作周波数でスイッチング素子Ｑ１，Ｑ２をオン／オフすることにより、放電灯Ｌａに供給するエネルギを変化させて、放電灯Ｌａを調光点灯する。
【０００７】
また、整流器ＤＢ１の交流入力端子間には抵抗Ｒ１，Ｒ２の直列回路が接続されており、交流電源ＡＣの交流電圧は抵抗Ｒ１，Ｒ２で分圧され、ダイオードブリッジよりなる整流器ＤＢ２で整流された後、平滑コンデンサＣ４により平滑される。そして、平滑コンデンサＣ４の両端電圧を３端子レギュレータＲＧ１により定電圧化した電圧ＶＣＣが、インバータ制御部１１及びＶ／Ｆ変換部１２などから構成される制御部１０に動作電圧として供給される。
【０００８】
ところで、上述した放電灯点灯装置は連続調光機能を有しているが、放電灯点灯装置としては段調光機能を有するものも提供されており、図１４に段調光機能を有する放電灯点灯装置の回路図を示す。尚、放電灯点灯装置の基本的な構成は上述した図１３の放電灯点灯装置と同様であるので、同一の構成要素には同一の符号を付して、その説明を省略する。
【０００９】
本回路では、段調光入力端子ＣＮ２ａ，ＣＮ２ｂ間にスイッチＳＷ１を接続しており、スイッチＳＷ１のオン／オフに応じて放電灯Ｌａの調光レベルを段階的に変化させるようになっている。ここで、３端子レギュレータＲＧ１の出力端子間には抵抗Ｒ３，Ｒ４の直列回路を接続しており、抵抗Ｒ３，Ｒ４の接続点を段調光入力端子ＣＮ２ａに接続している。また、段調光入力端子ＣＮ２ｂと回路のグランドとの間には抵抗Ｒ１７，Ｒ１８の直列回路を接続しており、抵抗Ｒ１７，Ｒ１８の接続点の電圧をＶ／Ｆ変換部１２に入力している。
【００１０】
ここで、抵抗Ｒ１７，Ｒ１８の接続点の電圧Ｖ１はＶ／Ｆ変換部１２でＶ／Ｆ変換され、インバータ制御部１１は電圧Ｖ１の電圧値に応じた動作周波数でスイッチング素子Ｑ１，Ｑ２をオン／オフさせることにより、放電灯Ｌａに供給するエネルギを段階的に変化させて、放電灯Ｌａを段調光点灯する。すなわち、スイッチＳＷ１がオフの場合は電圧Ｖ１が０Ｖであるので、インバータ制御部１１は放電灯Ｌａを全点灯状態で点灯させる。一方、スイッチＳＷ１がオンの場合、電圧Ｖ１は電圧ＶＣＣを抵抗Ｒ３，Ｒ４，Ｒ１７，Ｒ１８で分圧した電圧となり、この電圧に応じた動作周波数でスイッチング素子Ｑ１，Ｑ２がオン／オフされ、放電灯Ｌａが調光点灯する。
【００１１】
ところで、放電灯点灯装置としては初期照度補正機能を有するものも提供されており、図１５に初期照度補正機能を有する放電灯点灯装置の回路図を示す。尚、放電灯点灯装置の基本的な構成は上述した図１３の放電灯点灯装置と同様であるので、同一の構成要素には同一の符号を付して、その説明を省略する。
【００１２】
本回路では、照度補正部２０からの補正信号に応じてインバータ制御部１１がスイッチング素子Ｑ１，Ｑ２の動作周波数を変化させており、放電灯Ｌａに供給する電力を変化させて、放電灯Ｌａの光出力を略一定に制御している。
【００１３】
照度補正部２０はマイクロコンピュータにより構成され、平滑コンデンサＣ４の両端電圧が規定電圧以上である期間を計時する点灯時間タイマ２１と、点灯時間タイマ２１による計時時間を読み書きすると共に照度補正部２０において用いる補正用テーブルを格納したＥＥＰＲＯＭからなる不揮発性メモリ２２とが設けられている。補正用テーブルは放電灯Ｌａの使用時間と補正用の調光比とを対応付けたテーブルであって、照度補正部２０に設けた調光比設定部２３において点灯時間タイマ２１により計時された使用時間を用いて不揮発性メモリ２２から調光比を読み出すことで、放電灯Ｌａの光出力を略一定に保つための調光比を決定することができる。調光比設定部２３により決定した調光比は調光信号生成部２４に与えられ、インバータ制御部１１に与える調光信号が生成される。ここにおいて、制御部１０及び照度補正部２０の電源は、平滑コンデンサＣ４の両端電圧を定電圧化する３端子レギュレータＲＧ１より供給される。
【００１４】
しかして、図１６に示すように電源投入（図１６のＳ１）の直後に点灯時間タイマ２１の初期設定処理（図１６のＳ２）が行われて、点灯時間タイマ２１が不揮発性メモリ２２に書き込まれている点灯時間（つまり使用時間）を読み出す。こうして点灯時間タイマ２１に点灯時間がセットされると、調光比設定部２３が点灯時間タイマ２１から点灯時間を読み出し（図１６のＳ４）、読み出した使用時間に基づいて放電灯Ｌａから所定の光出力が得られるように調光比を決定し（図１６のＳ５）、その調光比に応じた調光信号を調光信号生成部２４が出力する（図１６のＳ６）。インバータ制御部１１は、この調光信号に従ってインバータ回路２の動作周波数を変化させ、放電灯Ｌａへの供給電力を調節する。次に、点灯時間タイマ２１は点灯時間（つまり使用時間）を計時し（図１６のＳ７）、計時後の点灯時間を不揮発性メモリ２２に格納する（図１６のＳ８）。以後は、不揮発性メモリ２２からの点灯時間の読み出し及び調光制御と、不揮発性メモリ２２への点灯時間の書き込みとを繰り返すのである。
【００１５】
ところで、照度補正部２０には、点灯時間タイマ２１や不揮発性メモリ２２の点灯時間をリセットするためのリセット制御部２５が設けられており、リセット制御部２５に接続されたリセットスイッチＳＷ２を操作することにより、点灯時間をリセットすることができる。ここで、リセットスイッチＳＷ２の両端にはリセット制御部２５によって、たとえば５Ｖの電圧が印加されており（リセットスイッチＳＷ２には図示しない抵抗が直列接続される）、リセットスイッチＳＷ２がオンになるとリセット制御部２５への入力電圧が引き下げられ点灯時間タイマ２１と不揮発性メモリ２２の点灯時間をリセットするようになっている。しかして、図１６に示すように、リセットスイッチＳＷ２の操作によるリセット信号がリセット制御部２５に入力されると（図１６のＳ３）、点灯時間タイマ２１および不揮発性メモリ２２における点灯時間がリセットされるのである（図１６のＳ９）。
【００１６】
【発明が解決しようとする課題】
上記構成の放電灯点灯装置では、連続調光機能を有するものと、段調光機能を有するものと、初期照度補正機能を有するものとが別々に設けられているので、例えば商業ビルディングのテナントのように使用者が代わったり、省エネ対策や演出効果などの仕様が変更された場合には、放電灯点灯装置を所望の機能を有するものに変更しなければならなかった。
【００１７】
本発明は上記問題点に鑑みて為されたものであり、その目的とするところは、１台で段調光や連続調光を行うことのできる放電灯点灯装置およびそれを用いる照明器具を提供することにある。
【００１８】
【課題を解決するための手段】
上記目的を達成するために、請求項１の発明では、放電灯と、放電灯を調光点灯させる調光点灯部と、放電灯の点灯累積時間を計時する計時手段と、計時手段の計時結果に応じて点灯累積時間の経過とともに発生する光束減退を補正するように調光レベルを設定する補正手段と、外部より信号を入力するための接続端子とを備え、前記調光点灯部は、前記接続端子を介して入力される調光信号又は前記補正手段により設定された調光レベルの何れかに基づいて前記放電灯を連続調光する連続調光手段と、前記接続端子を介して入力される調光レベル切替用接点の接点信号に基づいて前記放電灯を段調光する段調光手段とを具備し、前記調光点灯部の動作モードを、前記連続調光手段が前記調光信号に基づいて前記放電灯を連続調光する連続調光モード、前記段調光手段が前記接点信号に基づいて前記放電灯を段調光する段調光モード、前記連続調光手段が前記補正手段により設定された調光レベルに基づいて放電灯の調光レベルを制御する初期照度補正モードの内の何れかに切り替える第１の切替スイッチを調光点灯部本体に設けるとともに、前記接続端子を介して所定のリセット信号が入力されると、前記計時手段の計時した点灯累積時間をリセットして計時動作を再開させるリセット手段を設けたことを特徴とし、１台の放電灯点灯装置に連続調光機能と段調光機能と光束補正機能の３つの機能を持たせることができ、且つ、第１の切替スイッチを用いて放電灯点灯装置の動作モードを所望の動作モードに切り替えることができる。そのうえ、複数の放電灯点灯装置に調光信号として所定の信号を入力することにより、各放電灯点灯装置の計時手段が計時した点灯累積時間を一度にリセットすることができ、リセット操作に要する手間を少なくできる。
【００２１】
請求項２の発明では、請求項１の発明において、前記段調光手段の動作モードを複数に切り替えるための第２の切替スイッチを調光点灯部本体に設けたことを特徴とし、第２の切替スイッチを用いて段調光手段の動作モードを所望の動作モードに切り替えることができる。
【００２４】
請求項３の発明では、請求項１記載の放電灯点灯装置を用いる照明器具であって、接続端子に接続され、リセット操作に応じてリセット信号を発生するリセットスイッチを備え、放電灯、調光点灯部、計時手段、補正手段及びリセット手段を保持する器具本体の表面に前記リセットスイッチを設けたことを特徴とし、リセットスイッチは器具本体の表面に設けられているので、器具本体の外部からリセットスイッチを操作することができ、点灯累積時間のリセット操作を容易に行うことができる。
【００２５】
請求項４の発明では、請求項３の発明において、接続端子が前記調光点灯部の電源入力端子の近傍に設けられたことを特徴とし、調光点灯部の出力側には高周波の高い電圧が発生するため、リセットスイッチの接続端子を出力側の近傍に設けた場合はノイズの影響を受けやすいが、リセットスイッチの接続端子を電源入力端子の近傍に設けているので、出力側の近傍に設けた場合に比べてノイズの影響を受け難くできる。
【００２６】
請求項５の発明では、請求項３又は４の発明において、放電灯の周りに配置され、放電灯の光を反射して所望の方向に配光する反射板を器具本体に設け、前記リセットスイッチが反射板に取り付けられたことを特徴し、リセットスイッチを反射板に取り付けているので、器具本体の外部からリセットスイッチを操作することができ、点灯累積時間のリセット操作を容易に行うことができる。
【００２７】
請求項６の発明では、請求項３乃至５の何れかの発明において、前記リセットスイッチは定常時に開状態とし、リセット時に閉状態とすることを特徴とし、定常時はリセットスイッチの端子間を開状態としているので、定常時にリセットスイッチの端子間にノイズが乗って誤動作するのを防止できる。
【００２８】
請求項７の発明では、請求項６の発明において、前記リセットスイッチの端子間電圧を、開状態において略３Ｖ以上、閉状態において略１Ｖ以下にすることを特徴とし、請求項６の発明と同様の作用を奏する。
【００２９】
請求項８の発明では、請求項３の発明において、前記調光点灯部は、前記第１の切替スイッチの切替状態に応じて動作モードを、前記連続調光モード、前記段調光モード、前記初期照度補正モード、又は前記調光点灯部の機能を検査するテストモードの内の何れかに切り替えるとともに、前記テストモードにおいて前記接続端子に所定の信号が入力されると、前記調光点灯部が機能確認のための動作を行うことを特徴とし、各端子を共通化することによって部品数を削減することができる。
【００３０】
【発明の実施の形態】
以下に本発明の実施の形態を図面を参照して説明する。
【００３１】
（基本構成）
本発明の基本構成を図１を参照して説明する。この放電灯点灯装置は、交流電源ＡＣを全波整流するダイオードブリッジよりなる整流器ＤＢ１を備え、整流器ＤＢ１の直流出力端間にはインダクタＬ１を介してＭＯＳＦＥＴよりなるスイッチング素子Ｑ３が接続される。さらに、スイッチング素子Ｑ３の両端間にはダイオードＤ１と平滑コンデンサＣ１との直列回路が接続され、この平滑コンデンサＣ１を電源としてインバータ回路２が駆動されるようになっている。ここに、インダクタＬ１、スイッチング素子Ｑ３、ダイオードＤ１及び平滑コンデンサＣ１から所謂昇圧チョッパ回路１が構成される。
【００３２】
インバータ回路２は、平滑コンデンサＣ１の両端間に接続されたＭＯＳＦＥＴからなる一対のスイッチング素子Ｑ１，Ｑ２の直列回路を備え、ローサイドのスイッチング素子Ｑ２の両端間に、直流カット用のコンデンサＣ２と共振用のインダクタＬ２と放電灯Ｌａとの直列回路が接続された構成を有している。また、放電灯Ｌａの両フィラメント電極の非電源側端間には、インダクタＬ２とともに共振回路を構成するコンデンサＣ３が接続される。ここで、スイッチング素子Ｑ１〜Ｑ３はインバータ制御部１１によってオン／オフが制御されており、スイッチング素子Ｑ１，Ｑ２は高周波で交互にオン／オフされる。
【００３３】
インバータ回路２の動作は周知のものであって、昇圧チョッパ回路１により整流器ＤＢ１の出力電圧を昇圧し、スイッチング素子Ｑ１，Ｑ２を交互にオン／オフさせることによって、放電灯Ｌａに交番電流が供給される。ここで、放電灯Ｌａへの給電経路にはインダクタＬ２及びコンデンサＣ３が存在するので、スイッチング素子Ｑ１，Ｑ２のオン／オフの周期（すなわち、インバータ回路２の動作周波数）と、インダクタＬ２及びコンデンサＣ３などから構成される共振回路の共振周波数との関係によって放電灯Ｌａに供給するエネルギを調節することができる。
【００３４】
ここで、制御部１０は上述したインバータ制御部１１と、外部から入力される調光信号をＶ／Ｆ変換するＶ／Ｆ変換部１２とで構成され、調光信号はＶ／Ｆ変換部１２によりＶ／Ｆ変換され、インバータ制御部１１が調光信号の電圧値に応じた動作周波数でスイッチング素子Ｑ１，Ｑ２をオン／オフさせることにより、放電灯Ｌａに供給するエネルギを変化させて、放電灯Ｌａを調光点灯する。
【００３５】
尚、整流器ＤＢ１の交流入力端子間には抵抗Ｒ１，Ｒ２の直列回路が接続されており、交流電源ＡＣの交流電圧を抵抗Ｒ１，Ｒ２で分圧し、ダイオードブリッジよりなる整流器ＤＢ２で整流して、平滑コンデンサＣ４で平滑した後、さらに３端子レギュレータＲＧ１により定電圧化した電圧ＶＣＣが動作電圧として制御部１０に供給される。
【００３６】
この放電灯点灯装置には、例えば０〜１０Ｖの直流電圧信号よりなる調光信号を発生する調光器３０、又は、放電灯Ｌａの調光レベルを段階的に切り替えるための段調光切替スイッチＳＷ１が接続される接続端子ＣＮ１ａ，ＣＮ１ｂが設けられている。そして、一方の接続端子ＣＮ１ａを抵抗Ｒ６を介してＶ／Ｆ変換部１２の一方の入力端子に接続すると共に、他方の接続端子ＣＮ１ｂに抵抗Ｒ７の一端を接続し、抵抗Ｒ７の他端をＶ／Ｆ変換部１２の他方の入力端子と共に回路のグランドに接続する。また、３端子レギュレータＲＧ１の出力端子間に抵抗Ｒ３，Ｒ４の直列回路を接続し、抵抗Ｒ３，Ｒ４の接続点と接続端子ＣＮ１ｂとの間に抵抗Ｒ５を介してモード切替スイッチ（第１の切替スイッチ）ＳＷ３を接続する。
【００３７】
ところで、放電灯点灯装置の動作モードを段調光モードに切り替える場合は、モード切替スイッチＳＷ３をオンにして、接続端子ＣＮ１ａ，ＣＮ１ｂ間に段調光切替スイッチ（調光レベル切替用接点）ＳＷ１を接続する。モード切替スイッチＳＷ３がオンになると、抵抗Ｒ３，Ｒ４の接続点と接続端子ＣＮ１ｂとの間が抵抗Ｒ５を介して接続される。ここで、段調光切替スイッチＳＷ１をオンにすると、電圧ＶＣＣを抵抗Ｒ３〜Ｒ７で分圧した電圧がＶ／Ｆ変換部１２に入力され、Ｖ／Ｆ変換される。そして、この分圧電圧に応じた動作周波数で段調光手段としてのインバータ制御部１１がスイッチング素子Ｑ１，Ｑ２をオン／オフさせることにより、放電灯Ｌａへの供給電力が調節され、放電灯Ｌａが所定の調光レベルで調光点灯されるのである。一方、段調光切替スイッチＳＷ１をオフにすると、Ｖ／Ｆ変換部１２の入力電圧は０Ｖとなり、インバータ制御部１１は放電灯Ｌａを全点灯状態で点灯させる。なお、本装置のＶ／Ｆ変換部１２では、Ｖ／Ｆ変換部１２に入力される調光信号の電圧値が高いほど、動作周波数を高くしている。
【００３８】
一方、放電灯点灯装置の動作モードを連続調光モードに切り替える場合は、モード切替スイッチＳＷ３をオフにして、接続端子ＣＮ１ａ，ＣＮ１ｂ間に調光器３０を接続する。モード切替スイッチＳＷ３をオフにすると、接続端子ＣＮ１ａ，ＣＮ１ｂに接続された調光器３０の調光信号が抵抗Ｒ６，Ｒ７を介してＶ／Ｆ変換部１２に入力される。調光器３０は例えば０〜１０Ｖの直流電圧よりなる調光信号を発生するものであり、調光器３０の調光信号はＶ／Ｆ変換部１２によりＶ／Ｆ変換され、連続調光手段としてのインバータ制御部１１が調光信号の電圧値に応じた動作周波数でスイッチング素子Ｑ１，Ｑ２をオン／オフさせることにより、放電灯Ｌａへの供給電力を変化させ、放電灯Ｌａの調光比を所定の下限値（例えば約２０％）から１００％まで連続的に変化させることができる。
【００３９】
このように、上述の放電灯点灯装置では動作モードを段調光モード又は連続調光モードに切り替えるためのモード切替スイッチＳＷ３を設けており、モード切替スイッチＳＷ３の切替操作によって、インバータ制御部１１が連続調光手段又は段調光手段として動作するので、１台の放電灯点灯装置に連続調光機能と段調光機能の両方の機能を持たせることができる。また、一対の接続端子ＣＮ１ａ，ＣＮ１ｂを、連続調光用の調光信号が入力される入力端子と、調光比を段階的に切り替えるための接点信号が入力される入力端子とに共用しているので、入力端子を共用することによって部品数を減らすことができる。
【００４０】
（参考例）
本発明の参考例を図２及び図３を参照して説明する。尚、放電灯点灯装置の基本的な構成及びその動作は上述した基本構成の装置と同様であるので、同一の構成要素には同一の符号を付して、その説明を省略する。
【００４１】
本回路では、動作モードを連続調光モードと段調光モードとに切り替えるためにマイクロコンピュータよりなる制御用ＩＣ１３を設けている。制御用ＩＣ１３は入力ポートＫ１〜Ｋ３を３つ、出力ポートＰ１を１つ備えており、出力ポートＰ１の出力電圧をＶ／Ｆ変換部１２に入力している。そして、制御用ＩＣ１３は、入力ポートＫ１，Ｋ２の電圧レベルに応じて動作モードを連続調光モード、段調光モード［１］，［２］、固定点灯モードの４つのモードに切り替えている。参考例の放電灯点灯装置では段調光モードに複数のモードを設けており、段調光モード［１］とは調光比を５０％又は１００％に段階的に切り替えるモードであり、段調光モード［２］とは調光比を２０％又は１００％に段階的に切り替えるモードである。ここに、［］で括った数字は丸付き数字を示し、例えば［１］は丸付き数字の１であり、以下同様に表記する。
【００４２】
入力ポートＫ１，Ｋ２は、それぞれ、抵抗Ｒ８，Ｒ９の直列回路、抵抗Ｒ１０，Ｒ１１の直列回路を介して３端子レギュレータＲＧ１の出力電圧ＶＣＣにプルアップされる。抵抗Ｒ８，Ｒ９の接続点はモード切替スイッチＳＷ３ａの一端に接続されると共に、抵抗Ｒ１０，Ｒ１１の接続点はモード切替スイッチＳＷ３ｂの一端に接続されており、モード切替スイッチＳＷ３ａ，ＳＷ３ｂの他端は抵抗Ｒ１４を介して回路のグランドに接続される。また、入力ポートＫ３は抵抗Ｒ１２を介して３端子レギュレータＲＧ１の出力電圧ＶＣＣにプルアップされると共に、抵抗Ｒ１３を介して接続端子ＣＮ１ｂに接続されている。なお、接続端子ＣＮ１ａはモード切替スイッチＳＷ３ａ，ＳＷ３ｂと抵抗Ｒ１４との接続点に接続されている。
【００４３】
ここで、モード切替スイッチＳＷ３ａ，ＳＷ３ｂのオン／オフに応じて制御用ＩＣ１３の動作モードを４つのモードに切り替えることができ、モード切替スイッチＳＷ３ａ，ＳＷ３ｂのオン／オフと放電灯点灯装置の動作モードとの関係を表１に示す。ここに、モード切替スイッチＳＷ３ａ，ＳＷ３ｂから、調光状態を連続調光または段調光に切り替える第１の切替スイッチや、段調光手段としての制御用ＩＣ１３の動作モードを複数に切り替えるための第２の切替スイッチが構成される。
【００４４】
【表１】
0003873577.tif 000002
【００４５】
２つのモード切替スイッチＳＷ３ａ，３ｂを両方共にオフすると、入力ポートＫ１，Ｋ２には電圧ＶＣＣが印加され、入力ポートＫ１，Ｋ２の電圧レベルは共にＨレベルとなる。この時、制御用ＩＣ１３の動作モードは連続調光モードに切り替えられ、接続端子ＣＮ１ａ，ＣＮ１ｂ間には調光器３０が接続され、入力ポートＫ３には調光器３０からの調光信号が入力される。制御用ＩＣ１３の内部に設けたＡ／Ｄ変換部が入力ポートＫ３に印加された調光信号をＡ／Ｄ変換し、所定の演算を行った後、Ｄ／Ａ変換部でＤ／Ａ変換した電圧を出力ポートＰ１からＶ／Ｆ変換部１２に出力する。Ｖ／Ｆ変換部１２では制御用ＩＣ１３の出力電圧をＶ／Ｆ変換してインバータ制御部１１に出力し、インバータ制御部１１が制御用ＩＣ１３の出力電圧に応じた動作周波数でスイッチング素子Ｑ１，Ｑ２を発振させることにより、放電灯Ｌａへの供給電力を調節して、放電灯Ｌａを調光点灯させるのである。
【００４６】
また、２つのモード切替スイッチＳＷ３ａ，３ｂを両方共にオンすると、入力ポートＫ１には電圧ＶＣＣを抵抗Ｒ８，Ｒ９で分圧した電圧が入力されると共に、入力ポートＫ２には電圧ＶＣＣを抵抗Ｒ１０，Ｒ１１で分圧した電圧が入力されるので、入力ポートＫ１，Ｋ２の電圧レベルは共にＬレベルとなる。この時、制御用ＩＣ１３の動作モードは、調光比を５０％又は１００％に段階的に切り替える段調光モード▲１▼に切り替えられ、接続端子ＣＮ１ａ，ＣＮ１ｂ間には段調光切替スイッチＳＷ１が接続される。ここで、段調光切替スイッチＳＷ１のオン／オフに応じて、入力ポートＫ３に印加される電圧が２段階に変化するので、制御用ＩＣ１３が入力電圧に応じて出力電圧を２段階に変化させることにより、インバータ回路２の動作周波数が２段階に切り替えられ、放電灯Ｌａの調光比が５０％又は１００％に切り替えられる。
【００４７】
さらに、モード切替スイッチＳＷ３ａをオン、モード切替スイッチＳＷ３ｂをオフすると、入力ポートＫ１には電圧ＶＣＣを抵抗Ｒ８，Ｒ９で分圧した電圧が入力されると共に、入力ポートＫ２には電圧ＶＣＣが入力され、入力ポートＫ１の電圧レベルがＬレベル、入力ポートＫ２の電圧レベルがＨレベルになる。この時、制御用ＩＣ１３の動作モードは、調光比を２０％又は１００％に段階的に切り替える段調光モード▲２▼に切り替えられ、接続端子ＣＮ１ａ，ＣＮ１ｂ間には段調光切替スイッチＳＷ１が接続される。ここで、段調光切替スイッチＳＷ１のオン／オフに応じて、入力ポートＫ３に印加される電圧が２段階に変化するので、制御用ＩＣ１３が入力電圧に応じて出力電圧を２段階に変化させることにより、インバータ回路２の動作周波数が２段階に切り替えられ、放電灯Ｌａの調光比が２０％又は１００％に切り替えられる。
【００４８】
また更に、モード切替スイッチＳＷ３ａをオフ、モード切替スイッチＳＷ３ｂをオンすると、入力ポートＫ１には電圧ＶＣＣが入力されると共に、入力ポートＫ２には電圧ＶＣＣを抵抗Ｒ１０，Ｒ１１で分圧した電圧が入力され、入力ポートＫ１の電圧レベルがＨレベル、入力ポートＫ２の電圧レベルがＬレベルになる。この時、制御用ＩＣ１３の動作モードは固定点灯モードに切り替えられ、出力ポートＰ１から所定電圧値の調光信号を出力する。この調光信号はＶ／Ｆ変換部１２によりＶ／Ｆ変換され、インバータ制御部１１は調光信号の電圧値に応じた動作周波数でスイッチング素子Ｑ１，Ｑ２をオン／オフさせることにより、例えば７０％の調光比で放電灯Ｌａを調光点灯する。
【００４９】
ところで、図３はこの放電灯点灯装置の動作を示しており、電源投入時に制御用ＩＣ１３のリセット動作（図５のＳ１）が行われ、初期設定（図５のＳ２）が行われた後、制御用ＩＣ１３では入力ポートＫ１，Ｋ２の電圧、すなわちスイッチＳＷ３ａ，ＳＷ３ｂの切替状態を読み込み（図３のＳ３）、スイッチＳＷ３ａ，ＳＷ３ｂが共にオフとなっているか否かを判断する（図３のＳ４）。ここで、スイッチＳＷ３ａ，ＳＷ３ｂが共にオフであれば、制御用ＩＣ１３の動作モードが連続調光モードに切り替えられ、制御用ＩＣ１３は入力ポートＫ３の電圧を読み込み（図３のＳ５）、調光器３０から入力される調光信号に応じた電圧値を演算により求め（図３のＳ６）、Ｄ／Ａ変換を行って出力ポートＰ１から電圧信号をＶ／Ｆ変換部１２に出力し（図３のＳ７）、調光信号の電圧値に応じた動作周波数でインバータ回路２が発振動作し、放電灯Ｌａが調光点灯される。
【００５０】
一方、スイッチＳＷ３ａ，ＳＷ３ｂが共にオフになっていなければ、制御用ＩＣ１３では再び入力ポートＫ１，Ｋ２の電圧、すなわちスイッチＳＷ３ａ，ＳＷ３ｂの切替状態を読み込み（図３のＳ８）、スイッチＳＷ３ａ，ＳＷ３ｂのオン／オフに応じて動作モードを段調光モード▲１▼、▲２▼又は固定点灯モードに切り替える。そして、制御用ＩＣ１３の動作モードが段調光モード▲１▼又は▲２▼の場合、制御用ＩＣ１３は段調光切替スイッチＳＷ１の操作入力があるか否かを判断し（図３のＳ９）、スイッチＳＷ１の操作入力に応じて調光比を決定する（図３のＳ１０）。一方、制御用ＩＣ１３の動作モードが固定点灯モードの場合、制御用ＩＣ１３は調光比を所定値（例えば７０％）とする。そして、制御用ＩＣ１３はＤ／Ａ変換を行って出力ポートＰ１から電圧信号をＶ／Ｆ変換部１２に出力し（図３のＳ１２）、調光信号の電圧値に応じた動作周波数でインバータ回路２が発振動作し、放電灯Ｌａが調光点灯される。
【００５１】
このように、参考例の放電灯点灯装置ではモード切替スイッチＳＷ３ａ，ＳＷ３ｂを２つ設け、モード切替スイッチＳＷ３ａ，ＳＷ３ｂの切替操作によって動作モードを連続調光モード、段調光モード［１］，［２］、固定点灯モードの４つに切り替えているので、１台の放電灯点灯装置に連続調光機能と段調光機能の両方の機能を持たせ、且つ、段調光機能でも２つのモードを選択できるようにしている。また、一対の接続端子ＣＮ１ａ，ＣＮ１ｂを、連続調光用の調光信号が入力される入力端子と、調光比を段階的に切り替えるための接点信号が入力される入力端子とに共用しているので、入力端子を共用することによって部品数を減らすことができる。
【００５２】
尚、本参考例ではモード切替スイッチＳＷ３ａ，ＳＷ３ｂを２つ設けているが、切り替える動作モードが２つの場合はモード切替スイッチを１つにしても良い。また、本参考例ではモード切替スイッチＳＷ３ａ，ＳＷ３ｂとは別に、調光レベルを段階的に切り替えるための段調光切替スイッチＳＷ１を設けているが、段調光切替スイッチＳＷ１を設ける代わりに、モード切替スイッチＳＷ３ａ，ＳＷ３ｂのオン／オフの組み合わせで調光レベルを段階的に切り替えるようにしても良く、モード切替スイッチＳＷ３ａ，ＳＷ３ｂで段調光切替スイッチを兼用することができる。
【００５３】
（実施形態１）
本発明の実施形態１を図４乃至図６を参照して説明する。尚、放電灯点灯装置の基本的な構成及びその動作は上述した基本構成又は参考例と同様であるので、同一の構成要素には同一の符号を付して、その説明を省略する。
【００５４】
本回路では、動作モードを連続調光モードと段調光モードと初期照度補正モードとに切り替えるためにマイクロコンピュータよりなる制御用ＩＣ１３を設けている。制御用ＩＣ１３は入力ポートＫ１〜Ｋ４を４つ、出力ポートＰ１を１つ備えており、出力ポートＰ１の出力電圧をＶ／Ｆ変換部１２に入力している。図５は制御用ＩＣ１３の内部ブロック図であり、入力ポートＫ４には平滑コンデンサＣ４の平滑電圧を抵抗Ｒ１５，Ｒ１６で分圧した電圧が入力され、入力ポートＫ４の電圧が所定のしきい値電圧以上である期間（すなわち平滑コンデンサＣ４の両端電圧が規定電圧以上である期間）を計時する点灯時間タイマ（計時手段）２１と、点灯時間タイマ２１による計時時間を読み書きすると共に初期照度を補正するために用いる補正用テーブルを格納したＥＥＰＲＯＭである不揮発性メモリ２２とが設けられている。補正用テーブルは放電灯Ｌａの使用時間と補正用の調光比とを対応付けたテーブルであって、制御用ＩＣ１３の内部に設けた調光比設定部２３において点灯時間タイマ２１により計時された使用時間を用いて不揮発性メモリ２２から調光比を読み出すことで、放電灯Ｌａの光出力を略一定に保つための調光比を決定することができる。調光比設定部２３により決定した調光比は調光信号生成部２４に与えられ、インバータ制御部１１に与える調光信号が生成される。ここに、調光比設定部２３や不揮発性メモリ２２などから、点灯時間タイマ２１による計時時間（点灯累積時間）の経過とともに発生する光束減退を補正する補正手段が構成される。
【００５５】
また、制御用ＩＣ１３には、点灯時間タイマ２１や不揮発性メモリ２２の点灯時間をリセットするためのリセット制御部（リセット手段）２５が設けられており、接続端子ＣＮ１ａ，ＣＮ１ｂ間に接続されたリセットスイッチＳＷ２を操作することにより、点灯時間をリセットすることができる。すなわち、リセットスイッチＳＷ２がオンになると、入力ポートＫ３への入力電圧が引き下げられ、リセット制御部２５が点灯時間タイマ２１と不揮発性メモリ２２の点灯時間をリセットするようになっている。
【００５６】
ここで、表２に示すように、モード切替スイッチＳＷ３ａ，ＳＷ３ｂのオン／オフに応じて入力ポートＫ１，Ｋ２の電圧レベルが変化し、制御用ＩＣ１３の動作モードが連続調光モード、段調光モード、初期照度補正モード▲１▼、▲２▼の４つのモードに切り替えられる。
【００５７】
【表２】
0003873577.tif 000003
【００５８】
２つのモード切替スイッチＳＷ３ａ，３ｂを両方共にオフすると、入力ポートＫ１，Ｋ２の電圧レベルは共にＨレベルとなり、参考例と同様に制御用ＩＣ１３の動作モードが連続調光モードに切り替えられる。この時、接続端子ＣＮ１ａ，ＣＮ１ｂ間には調光器３０が接続され、制御用ＩＣ１３は入力ポートＫ３に印加された調光信号に応じて放電灯Ｌａを連続調光する。
【００５９】
また、２つのモード切替スイッチＳＷ３ａ，３ｂを両方共にオンすると、入力ポートＫ１，Ｋ２の電圧レベルは共にＬレベルとなり、制御用ＩＣ１３の動作モードは段調光モードとなる。この時、接続端子ＣＮ１ａ，ＣＮ１ｂ間には段調光切替スイッチＳＷ１が接続され、段調光切替スイッチＳＷ１のオン／オフに応じて入力ポートＫ３に印加される電圧が２段階に変化するので、制御用ＩＣ１３が入力電圧に応じて出力電圧を２段階に変化させることにより、インバータ回路２の動作周波数が２段階に切り替えられ、放電灯Ｌａの調光比が例えば５０％又は１００％に切り替えられる。
【００６０】
さらに、モード切替スイッチＳＷ３ａをオン、モード切替スイッチＳＷ３ｂをオフすると、入力ポートＫ１の電圧レベルがＬレベル、入力ポートＫ２の電圧レベルがＨレベルになり、制御用ＩＣ１３の動作モードは、放電灯Ｌａの初期照度を略６０％の調光比に補正する初期照度補正モード▲１▼に切り替えられる。この時、接続端子ＣＮ１ａ，ＣＮ１ｂ間にはリセットスイッチＳＷ２が接続され、リセットスイッチＳＷ２をオンすると、入力ポートＫ３への入力電圧（すなわちリセット制御部２５への入力電圧）が引き下げられ、リセット制御部２５が点灯時間タイマ２１、不揮発性メモリ２２の点灯時間をリセットする。
【００６１】
また更に、モード切替スイッチＳＷ３ａをオフ、モード切替スイッチＳＷ３ｂをオンすると、入力ポートＫ１の電圧レベルがＨレベル、入力ポートＫ２の電圧レベルがＬレベルになり、制御用ＩＣ１３の動作モードは、放電灯Ｌａの初期照度を略７０％の調光比に補正する初期照度補正モード▲２▼に切り替えられる。この時、接続端子ＣＮ１ａ，ＣＮ１ｂ間にはリセットスイッチＳＷ２が接続され、リセットスイッチＳＷ２をオンすると、入力ポートＫ３への入力電圧（すなわちリセット制御部２５への入力電圧）が引き下げられ、リセット制御部２５が点灯時間タイマ２１、不揮発性メモリ２２の点灯時間をリセットする。
【００６２】
ところで、図６はこの放電灯点灯装置の動作を示しており、Ｓ１〜Ｓ１２の動作は参考例と同様であるので、その説明は省略する。ここで、スイッチＳＷ３ａ，ＳＷ３ｂが共にオフではなく（図６のＳ４）、且つ共にオンではない場合（図６のＳ１３）、制御用ＩＣ１３はスイッチＳＷ３ａ，ＳＷ３ｂの切替状態を再度読み込み、動作モードを初期照度補正モード［１］又は［２］に切り替える（図６のＳ１４）。そして、制御用ＩＣ１３では点灯時間タイマ２１から点灯時間を読み出し（図６のＳ１６）、読み出した使用時間に基づいて放電灯Ｌａから所定の光出力が得られるように調光比設定部２３が調光比を決定し（図６のＳ１７）、その調光比に応じた調光信号を調光信号生成部２４が出力する（図６のＳ１８）。インバータ制御部１１は、この調光信号に従ってインバータ回路２の動作周波数を変化させ、放電灯Ｌａへの供給電力を調節し、放電灯Ｌａを所定の調光比（６０％又は７０％）で点灯させる。次に、点灯時間タイマ２１は点灯時間（つまり使用時間）を計時し（図６のＳ１９）、計時後の点灯時間を不揮発性メモリ２２に格納する（図６のＳ２０）。以後は、不揮発性メモリ２２からの点灯時間の読み出し及び調光制御と、不揮発性メモリ２２への点灯時間の書き込みとを繰り返すのである。ところで、初期照度補正モードで動作中にリセットスイッチＳＷ２の操作によるリセット信号がリセット制御部２５に入力されると（図６のＳ１５）、点灯時間タイマ２１および不揮発性メモリ２２における点灯時間がリセットされるのである（図６のＳ２１）。
【００６３】
このように、本実施形態の放電灯点灯装置ではモード切替スイッチＳＷ３ａ，ＳＷ３ｂを２つ設け、モード切替スイッチＳＷ３ａ，ＳＷ３ｂの切替操作によって動作モードを連続調光モード、段調光モード、初期照度補正モード▲１▼，▲２▼の４つに切り替えているので、１台の放電灯点灯装置に連続調光機能と段調光機能と初期照度補正機能の３つの機能を持たせ、且つ、初期照度補正機能でも２つのモードを選択できるようにしている。また、一対の接続端子ＣＮ１ａ，ＣＮ１ｂを、連続調光用の調光信号が入力される入力端子と、調光比を段階的に切り替えるための接点信号が入力される入力端子と、点灯時間をリセットするためのリセット信号が入力される入力端子とに共用しているので、入力端子を共用することによって部品数を減らすことができる。
【００６４】
（実施形態２）
本発明の実施形態２を図７及び表３を参照して説明する。尚、本実施形態の放電灯点灯装置の回路構成は実施形態１と同様であるので、図示及び説明は省略する。
【００６５】
本回路では、表３に示すように、モード切替スイッチＳＷ３ａ，ＳＷ３ｂのオン／オフに応じて制御用ＩＣ１３の動作モードが連続調光モード、段調光モード、初期照度補正モード［１］、［３］の４つのモードに切り替えられる。初期照度補正モード［３］以外の動作モードは、実施形態１で説明した動作モードと同様であるのでその説明は省略する。
【００６６】
【表３】
0003873577.tif 000004
【００６７】
モード切替スイッチＳＷ３ａをオフ、モード切替スイッチＳＷ３ｂをオンすると、入力ポートＫ１の電圧レベルがＨレベル、入力ポートＫ２の電圧レベルがＬレベルになり、制御用ＩＣ１３の動作モードは、放電灯Ｌａの初期照度を略７０％の調光比に補正する初期照度補正モード▲３▼に切り替えられる。この初期照度補正モード▲３▼は、接続端子ＣＮ１ａ，ＣＮ１ｂに所定電圧値の直流電圧を印加することによって点灯時間をリセットする動作モードであり、接続端子ＣＮ１ａ，ＣＮ１ｂ間には例えば直流の電圧信号からなる調光信号を発生する調光器３０が接続される。そして、制御用ＩＣ１３の入力ポートＫ３に例えば５Ｖの電圧が印加されるように、調光器３０から調光信号が入力されると、制御用ＩＣ１３のリセット制御部２５はリセット信号が入力されたと判断し（図７のＳ１５’）、点灯時間タイマ２１と不揮発性メモリ２２の点灯時間をリセットする（図７のＳ２１）。この動作モードでは、接続端子ＣＮ１ａ，ＣＮ１ｂに所定電圧値の直流電圧を印加することによって点灯時間をリセットすることができるので、例えば複数の放電灯点灯装置が設置され、各放電灯点灯装置が初期照度補正モード▲３▼で動作しているような場合には、放電灯の一斉交換時に各放電灯点灯装置に所定電圧値のリセット信号を印加することによって、各放電灯点灯装置の点灯時間を一度にリセットすることができ、各放電灯点灯装置のリセットスイッチを操作して点灯時間をリセットする場合に比べて、点灯時間をリセットする手間を少なくできる。
【００６８】
（実施形態３）
本発明の実施形態３を図８及び表４を参照して説明する。尚、本実施形態の放電灯点灯装置の回路構成は実施形態１と同様であるので、図示及び説明は省略する。
【００６９】
本回路では、表４に示すように、モード切替スイッチＳＷ３ａ，ＳＷ３ｂのオン／オフに応じて制御用ＩＣ１３の動作モードが連続調光モード、段調光モード、初期照度補正モード［１］、工程調整モードの４つのモードに切り替えられる。尚、工程調整モード以外の動作モードは、基本構成又は参考例で説明した動作モードと同様であるのでその説明は省略する。
【００７０】
【表４】
0003873577.tif 000005
【００７１】
モード切替スイッチＳＷ３ａをオフ、モード切替スイッチＳＷ３ｂをオンすると、入力ポートＫ１の電圧レベルがＨレベル、入力ポートＫ２の電圧レベルがＬレベルになり、制御用ＩＣ１３の動作モードは工程調整モードに切り替えられる。この工程調整モードは、製造時などに接続端子ＣＮ１ａ，ＣＮ１ｂに所定の直流電圧信号を印加することによってテストプログラムを動作させて、放電灯点灯装置の動作確認を行うための動作モードであり、接続端子ＣＮ１ａ，ＣＮ１ｂ間には例えば直流の電圧信号からなる調光信号を発生する調光器３０が接続される。この時、入力ポートＫ３に約３Ｖの電圧を２秒間印加した後、１秒間停止する状態を３回繰り返すと（図８のＳ２２）、制御用ＩＣ１３は動作確認のためのテストプログラムを動作させる（図８のＳ２３）。
【００７２】
このテストプログラムは、放電灯点灯装置の機能を確認するために各種の動作を行うよう予め設定されており、例えば各調光状態での電気的特性を確認するためであれば、調光比と点灯時間とをプログラムすれば良い。また、初期照度度補正モード▲３▼のリセット動作を確認するためであれば、入力ポートＫ３に所定電圧値の直流電圧を印加した際にリセット動作を行ったことを知らせるため、放電灯を点滅させるようにプログラムしても良く、このような工程調整モードを設けることによって、放電灯点灯装置の動作確認を効率良く行うことができる。
【００７３】
（実施形態４）
本発明の実施形態４を図９を参照して説明する。本実施形態の照明器具は、上述した実施形態１〜３の放電灯点灯装置を用いた照明器具であり、放電灯点灯装置の構成及び動作は実施形態１〜３と同様であるので、図示及び説明は省略する。
【００７４】
ところで、図１７は従来の照明器具の外観斜視図であり、器具本体５０の内部には上述した放電灯点灯装置が収納されている。そして、器具本体５０の下面に設けたランプソケット５１，５１に放電灯Ｌａの口金を保持することにより、放電灯Ｌａが器具本体５０に取り付けられると共に、放電灯点灯装置に電気的に接続される。なお、各ランプソケット５１，５１の間の器具本体５０下面の部位には反射板５２が設けられており、反射板５２によって放電灯Ｌａから器具本体５０側に放射された光が照明空間側に放射される。このような照明器具において、リセットスイッチＳＷ２を器具本体５０の内部に取り付けると、点灯時間をリセットする際に、例えば反射板５２を取り外したりして、リセットスイッチＳＷ２の操作を行わなければならず、手間がかかっていた。
【００７５】
そこで、本実施形態の照明器具では、図９に示すように反射板５２の表面から操作部を露出させた状態で、リセットスイッチＳＷ２を器具本体５０に取り付けており、器具本体５０の内部に収納された放電灯点灯装置の器体４０とリセットスイッチＳＷ２とは電線５３を介して電気的に接続される。このように、本実施形態ではリセットスイッチＳＷ２を反射板５２の表面に取り付けているので、器具本体５０の外部からリセットスイッチＳＷ２を操作することができ、リセット操作を容易に行える。尚、リセットスイッチＳＷ２の取付位置を反射板５２に限定する趣旨のものではなく、器具本体５０の外部から操作可能な場所であれば、図１０に示すように器具本体５０の側面に取り付けても良いし、図１１に示すようにランプソケット５１の表面に取り付けても良い。
【００７６】
また、リセットスイッチＳＷ２としてはスライドスイッチや非復帰タイプのトグルスイッチを用いても良いが、復帰させる手間が不要であるので、復帰タイプの押釦スイッチを用いるのが望ましい。また、放電灯点灯装置としてインバータタイプの放電灯点灯装置を用いているので、リセットスイッチＳＷ２や電線５３にノイズが乗り易いため、リセットスイッチＳＷ２としては定常時に開放状態となる復帰タイプの押釦スイッチを用いるのが望ましい。さらに、ノイズによる誤動作を防止するため、リセットスイッチＳＷ２の端子間電圧を開放時は約３Ｖ以上、短絡時は１Ｖ以下とし、開放時と短絡時の端子間電圧にノイズマージンを設けることにより、ノイズの影響を受けにくくできる。尚、開放時の端子間電圧の上限値及び短絡時の端子間電圧の最小値は、回路設計上好適な電圧値に設定すれば良い。
【００７７】
（実施形態５）
本発明の実施形態５を図面を参照して説明する。尚、本実施形態の放電灯点灯装置の回路構成及び動作は上述した基本構成又は参考例或いは実施形態１〜３の放電灯点灯装置と同様であるので、図示及び説明は省略する。
【００７８】
この放電灯点灯装置の正面図を図１２（ａ）に、右側から見た側面図を図１２（ｂ）に、下側から見た側面図を図１２（ｃ）にそれぞれ示す。この放電灯点灯装置は、器体４０の内部に上述の回路が形成された回路基板（図示せず）を収納したものである。器体４０の長手方向の一側には、電源線が接続される電線接続部４１ａと、上記接続端子ＣＮ１ａ，ＣＮ１ｂを構成する電線接続部４１ｂとが設けられ、長手方向の他側にはランプソケット（図示せず）からの電線がそれぞれ接続される２組の電線接続部４１ｃ，４１ｄが設けられている。また、器体４０の長手方向における電源側には、スライドスイッチよりなるモード切替スイッチＳＷ３ａ，ＳＷ３ｂが配設されている。
【００７９】
各電線接続部４１ａ〜４１ｄは電線の芯線がそれぞれ挿入される一対の電線挿入口４２を有し、器体４０の内部には電線挿入口４２に臨むようにして接続端子が収納されており、電線挿入口４２から挿入された電線が接続端子に電気的且つ機械的に接続されるようになっている。
【００８０】
ここで、リセットスイッチＳＷ２などの接続される電線接続部４１ｂや、モード切替スイッチＳＷ３ａ，ＳＷ３ｂを、ランプソケットへの電線が接続される出力側の電線接続部４１ｃ，４１ｄの近傍に設けても良いが、出力側の電線接続部４１ｃ，４１ｄには高周波の高い電圧が発生するため、ノイズの影響を受け易くなる。それに対して、本実施形態の放電灯点灯装置では、リセットスイッチＳＷ２などの接続される電線接続部４１ｂや、モード切替スイッチＳＷ３ａ，ＳＷ３ｂを電源側に設けているので、ノイズの影響を低減することができる。また、電源線の接続される電線接続部４１ａの近傍は、マイコンよりなる制御用ＩＣ１３などの電源を確保しやすいため、制御用ＩＣ１３を電源側に配置することにより、リセットスイッチＳＷ２などの接続される電線接続部４１ｂ及びモード切替スイッチＳＷ３ａ，ＳＷ３ｂと制御用ＩＣ１３との間の配線長を短くでき、ノイズの影響を受けにくくできる。
【００８１】
なお、この放電灯点灯装置を用いる照明器具の器具本体（図示せず）に、リセットスイッチＳＷ２などの接続される電線接続部４１ｂやモード切替スイッチＳＷ３ａ，ＳＷ３ｂを設けても良いが、器具本体の構造によっては取付強度や耐電圧などの問題が生じる虞があり、また器具本体に例えば穴開け加工などの加工を施す必要があるため、放電灯点灯装置の器体４０にリセットスイッチＳＷ２などの接続される電線接続部４１ｂやモード切替スイッチＳＷ３ａ，ＳＷ３ｂを設けるのが望ましい。
【００８２】
【発明の効果】
上述のように、請求項１の発明は、放電灯と、放電灯を調光点灯させる調光点灯部と、放電灯の点灯累積時間を計時する計時手段と、計時手段の計時結果に応じて点灯累積時間の経過とともに発生する光束減退を補正するように調光レベルを設定する補正手段と、外部より信号を入力するための接続端子とを備え、前記調光点灯部は、前記接続端子を介して入力される調光信号又は前記補正手段により設定された調光レベルの何れかに基づいて前記放電灯を連続調光する連続調光手段と、前記接続端子を介して入力される調光レベル切替用接点の接点信号に基づいて前記放電灯を段調光する段調光手段とを具備し、前記調光点灯部の動作モードを、前記連続調光手段が前記調光信号に基づいて前記放電灯を連続調光する連続調光モード、前記段調光手段が前記接点信号に基づいて前記放電灯を段調光する段調光モード、前記連続調光手段が前記補正手段により設定された調光レベルに基づいて放電灯の調光レベルを制御する初期照度補正モードの内の何れかに切り替える第１の切替スイッチを調光点灯部本体に設けるとともに、前記接続端子を介して所定のリセット信号が入力されると、前記計時手段の計時した点灯累積時間をリセットして計時動作を再開させるリセット手段を設けたことを特徴とし、１台の放電灯点灯装置に連続調光機能と段調光機能と光束補正機能の３つの機能を持たせることができ、且つ、第１の切替スイッチを用いて放電灯点灯装置の動作モードを所望の動作モードに切り替えることができる。そのうえ、複数の放電灯点灯装置に調光信号として所定の信号を入力することにより、各放電灯点灯装置の計時手段が計時した点灯累積時間を一度にリセットすることができ、リセット操作に要する手間を少なくできるという効果がある。
【００８５】
請求項２の発明は、請求項１の発明において、前記段調光手段の動作モードを複数に切り替えるための第２の切替スイッチを調光点灯部本体に設けたことを特徴とし、第２の切替スイッチを用いて段調光手段の動作モードを所望の動作モードに切り替えることができるという効果がある。
【００８８】
請求項３の発明は、請求項１記載の放電灯点灯装置を用いる照明器具であって、前記接続端子に接続され、リセット操作に応じて前記リセット信号を発生するリセットスイッチを備え、放電灯、調光点灯部、計時手段、補正手段及びリセット手段を保持する器具本体の表面に前記リセットスイッチを設けたことを特徴とし、リセットスイッチは器具本体の表面に設けられているので、器具本体の外部からリセットスイッチを操作することができ、点灯累積時間のリセット操作を容易に行うことができるという効果がある。
【００８９】
請求項４の発明は、請求項３の発明において、前記接続端子が前記調光点灯部の電源入力端子の近傍に設けられたことを特徴とし、調光点灯部の出力側には高周波の高い電圧が発生するため、リセットスイッチの接続端子を出力側の近傍に設けた場合はノイズの影響を受けやすいが、リセットスイッチの接続端子を電源入力端子の近傍に設けているので、出力側の近傍に設けた場合に比べてノイズの影響を受け難くできるという効果がある。
【００９０】
請求項５の発明は、請求項３又は４の発明において、放電灯の周りに配置され、放電灯の光を反射して所望の方向に配光する反射板を器具本体に設け、前記リセットスイッチが反射板に取り付けられたことを特徴し、リセットスイッチを反射板に取り付けているので、器具本体の外部からリセットスイッチを操作することができ、点灯累積時間のリセット操作を容易に行えるという効果がある。
【００９１】
請求項６の発明は、請求項３乃至５の何れかの発明において、前記リセットスイッチは定常時に開状態とし、リセット時に閉状態とすることを特徴とし、定常時はリセットスイッチの端子間を開状態としているので、定常時にリセットスイッチの端子間にノイズが乗って誤動作するのを防止できるという効果がある。
【００９２】
請求項７の発明は、請求項６の発明において、前記リセットスイッチの端子間電圧を、開状態において略３Ｖ以上、閉状態において略１Ｖ以下にすることを特徴とし、請求項６の発明と同様の効果を奏する。
【００９３】
請求項８の発明は、請求項３の発明において、前記調光点灯部は、前記第１の切替スイッチの切替状態に応じて動作モードを、前記連続調光モード、前記段調光モード、前記初期照度補正モード、又は前記調光点灯部の機能を検査するテストモードの内の何れかに切り替えるとともに、前記テストモードにおいて前記接続端子に所定の信号が入力されると、前記調光点灯部が機能確認のための動作を行うことを特徴とし、各端子を共通化することによって部品数を削減できるという効果がある。
【図面の簡単な説明】
【図１】  本発明に係る放電灯点灯装置の基本構成を示す回路図である。
【図２】  参考例の放電灯点灯装置の回路図である。
【図３】  同上の動作を説明するフローチャートである。
【図４】  実施形態１の放電灯点灯装置の回路図である。
【図５】  同上の一部省略せるブロック図である。
【図６】  同上の動作を説明するフローチャートである。
【図７】  実施形態２の放電灯点灯装置の動作を説明するフローチャートである。
【図８】  実施形態３の放電灯点灯装置の動作を説明するフローチャートである。
【図９】  実施形態４の照明器具の一部破断せる外観斜視図である。
【図１０】  同上の別の照明器具の一部破断せる外観斜視図である。
【図１１】  同上のまた別の照明器具の一部破断せる外観斜視図である。
【図１２】  実施形態５の照明器具を示し、（ａ）は正面図、（ｂ）は右側から見た側面図、（ｃ）は下側から見た側面図である。
【図１３】  従来の放電灯点灯装置の回路図である。
【図１４】  従来の別の放電灯点灯装置の回路図である。
【図１５】  従来のまた別の放電灯点灯装置の回路図である。
【図１６】  同上の動作を示すフローチャートである。
【図１７】  同上の外観斜視図である。
【符号の説明】
２  インバータ回路
１０  制御部
１１  インバータ制御部
１２  Ｖ／Ｆ変換部
ＣＮ１ａ，ＣＮ１ｂ  接続端子
Ｌａ  放電灯
ＳＷ１ 段調光切替スイッチ
ＳＷ３ モード切替スイッチ
【図１】
0003873577.tif 000006
【図２】
0003873577.tif 000007
【図３】
0003873577.tif 000008
【図４】
0003873577.tif 000009
【図５】
0003873577.tif 000010
【図６】
0003873577.tif 000011
【図７】
0003873577.tif 000012
【図８】
0003873577.tif 000013
【図９】
0003873577.tif 000014
【図１０】
0003873577.tif 000015
【図１１】
0003873577.tif 000016
【図１２】
0003873577.tif 000017
【図１３】
0003873577.tif 000018
【図１４】
0003873577.tif 000019
【図１５】
0003873577.tif 000020
【図１６】
0003873577.tif 000021
【図１７】
0003873577.tif 000022